【手続補正書】
【提出日】平成28年9月5日(2016.9.5)
【手続補正１】
【補正対象書類名】特許請求の範囲
【補正対象項目名】全文
【補正方法】変更
【補正の内容】
【特許請求の範囲】
【請求項１】
副玩具の種類によって異なるＩＤを保持する当該副玩具から読み取ったＩＤに応じた発光、表示及び音出力のうちの少なくとも１つによる演出出力を行う主玩具であって、
副玩具が保持するＩＤを読み取る読取手段と、
演出制御データを記憶する記憶手段と、
読み取った前記ＩＤに対応する前記演出制御データに従った演出出力を行なう出力手段と、
前記副玩具が保持するＩＤに対応する前記演出制御データを更新するための更新データを情報処理端末から受信する受信手段と
を備え、
前記演出制御データは、第１の演出制御データと、前記更新データによる更新により完全な状態となる第２の演出制御データとを含み、
前記出力手段は、
前記第２の演出制御データが完全な状態でない場合には、前記第１の演出制御データによる前記演出出力を行ない、
前記第２の演出制御データが完全な状態の場合には、前記第２の演出制御データによる前記演出出力を行なう
ことを特徴とする主玩具。
【請求項２】
前記記憶手段は、前記第１の演出制御データ、前記第２の演出制御データ及び前記第２の演出制御データの状態を示すフラグを、前記副玩具が保持するＩＤと関連づけて保持するテーブルをさらに記憶し、
前記出力手段は、前記テーブルにおいて前記読取手段が読み取った前記ＩＤと関連づけられている前記フラグの値に応じて、前記第１の演出制御データと前記第２の演出制御データとを切替えることを特徴とする請求項１に記載の主玩具。
【請求項３】
前記受信手段は、前記情報処理端末が取得した前記副玩具が保持するＩＤと関連づけられて前記テーブルに登録されている前記第２の演出制御データについて、前記更新データを受信することを特徴とする請求項２に記載の主玩具。
【請求項４】
前記更新データは、前記第２の演出制御データの全体又は一部であることを特徴とする請求項１から３のいずれか１項に記載の主玩具。
【請求項５】
前記更新データは、暗号化された前記第２の演出制御データを復号する復号キーであることを特徴とする請求項１から３のいずれか１項に記載の主玩具。
【請求項６】
副玩具の種類によって異なるＩＤを保持する当該副玩具から受信したＩＤに応じて、主玩具が演出出力を行なうための演出制御データを更新する更新データを前記主玩具に提供する情報処理端末に
副玩具からＩＤを受信するステップと、
受信された前記ＩＤに対応する更新データをサーバから取得するステップ、
取得した前記更新データを前記主玩具に送信するステップと
を実行させるためのコンピュータプログラムであって、
前記送信するステップでは、前記主玩具が保持するテーブルに登録された演出制御データのうち、前記受信されたＩＤと関連づけられた演出制御データを更新するための前記更新データを前記主玩具に送信することを特徴とするコンピュータプログラム。
【請求項７】
前記情報処理端末に、前記更新データにより前記主玩具における前記演出制御データの更新が完了したことを報知するステップを更に実行させるための請求項６に記載のコンピュータプログラム。
【請求項８】
前記更新データは、前記演出制御データの全体又は一部であることを特徴とする請求項６または７に記載のコンピュータプログラム。
【請求項９】
前記更新データは、暗号化された前記演出制御データを復号する復号キーであることを特徴とする請求項６または７に記載のコンピュータプログラム。
【手続補正２】
【補正対象書類名】明細書
【補正対象項目名】発明の名称
【補正方法】変更
【補正の内容】
【発明の名称】主玩具及びコンピュータプログラム
【手続補正３】
【補正対象書類名】明細書
【補正対象項目名】０００１
【補正方法】変更
【補正の内容】
【０００１】
本発明は、主玩具及びコンピュータプログラム等に関する。
【手続補正４】
【補正対象書類名】明細書
【補正対象項目名】００１４
【補正方法】変更
【補正の内容】
【００１４】
また、本発明は、副玩具の種類によって異なるＩＤを保持する当該副玩具から当該ＩＤを読み取った場合に、発光、表示及び音出力のうちの少なくとも１つによる演出出力を行う主玩具と、情報端末と、サーバとを具備した玩具システムにおける前記情報端末としてコンピュータを機能させるためのプログラムであって、前記主玩具は、完全状態となったときに前記副玩具の種類別の各ＩＤに対応づけた演出制御データを格納して各ＩＤに応じた演出出力を行うことができるようになるテーブルデータを不全状態で記憶しており、前記サーバは、前記不全状態のテーブルデータのうちの前記演出制御データそれぞれを個別に完全状態にするための更新制御データを記憶しており、前記コンピュータを、前記副玩具からＩＤを受信するＩＤ受信手段、前記ＩＤ受信手段で受信されたＩＤに対応する演出制御データを完全状態とするための更新制御データを前記サーバから取得する更新制御データ取得手段、として機能させるためのプログラムであっても良い。
また、本発明は、副玩具の種類によって異なるＩＤを保持する当該副玩具から読み取ったＩＤに応じた発光、表示及び音出力のうちの少なくとも１つによる演出出力を行う主玩具であって、副玩具が保持するＩＤを読み取る読取手段と、演出制御データを記憶する記憶手段と、読み取った前記ＩＤに対応する前記演出制御データに従った演出出力を行なう出力手段と、前記副玩具が保持するＩＤに対応する前記演出制御データを更新するための更新データを情報処理端末から受信する受信手段とを備え、前記演出制御データは、第１の演出制御データと、前記更新データによる更新により完全な状態となる第２の演出制御データとを含み、前記出力手段は、前記第２の演出制御データが完全な状態でない場合には、前記第１の演出制御データによる前記演出出力を行ない、前記第２の演出制御データが完全な状態の場合には、前記第２の演出制御データによる前記演出出力を行なう主玩具であってもよい。
また、本発明において、前記記憶手段は、前記第１の演出制御データ、前記第２の演出制御データ及び前記第２の演出制御データの状態を示すフラグを、前記副玩具が保持するＩＤと関連づけて保持するテーブルをさらに記憶し、前記出力手段は、前記テーブルにおいて前記読取手段が読み取った前記ＩＤと関連づけられている前記フラグの値に応じて、前記第１の演出制御データと前記第２の演出制御データとを切替えてもよい。また、本発明において、前記受信手段は、前記情報処理端末が取得した前記副玩具が保持するＩＤと関連づけられて前記テーブルに登録されている前記第２の演出制御データについて、前記更新データを受信してもよい。また、本発明において、前記更新データは、前記第２の演出制御データの全体又は一部であってもよいし、前記更新データは、暗号化された前記第２の演出制御データを復号する復号キーであってもよい。
また、本発明は、副玩具の種類によって異なるＩＤを保持する当該副玩具から受信したＩＤに応じて、主玩具が演出出力を行なうための演出制御データを更新する更新データを前記主玩具に提供する情報処理端末に、副玩具からＩＤを受信するステップと、受信された前記ＩＤに対応する更新データをサーバから取得するステップと、取得した前記更新データを前記主玩具に送信するステップとを実行させるためのコンピュータプログラムであって、前記送信するステップでは、前記主玩具が保持するテーブルに登録された演出制御データのうち、前記受信されたＩＤと関連づけられた演出制御データを更新するための前記更新データを前記主玩具に送信するコンピュータプログラムであってもよい。
また、本発明において、前記情報処理端末に、前記更新データにより前記主玩具における前記演出制御データの更新が完了したことを報知するステップを更に実行させてもよい。また、本発明において、前記更新データは、前記演出制御データの全体又は一部であってもよいし、前記更新データは、暗号化された前記演出制御データを復号する復号キーであってもよい。